(57)【要約】アンテナ２０は、該アンテナが、人の背中の上部において肩胛骨間に自然に生じるくぼみに少なくとも部分的に収容され得る大きさ及び形状のアンテナ取り付け部３０に置かれている。この取り付け部３０は、使用中、取り付け部のアンテナを受け入れる部分から着用者の肩を越えて着用者の胴部の前部に延在する支持ストラップ部３８ａ，３８ｂを有している。アンテナ取り付け部３０は、身体の上部の周りに着用するのに好適な衣服（図示せず）に設けられている。上記支持ストラップ部を着用者の肩部にわたってこのように延在させることにより、該ストラップ部の重さは、着用者の正面及び背面に組み合わせられ、着用者の肩を中心とするアンテナ２０及びアンテナ取り付け部のより均一な重量分布を与えるように、アンテナ２０及び本体部３１の重さのバランスをとる役割を果たす。このような重量分布は、上記アンテナ及びアンテナを支持する取り付け部を備えた衣服の快適さを改善するように努め、概して衣服自体の正確な「つるし具合」に貢献する。１つの構成では、アンテナ２０は布地のパッチアンテナである。
2004518322.tif 000002
【特許請求の範囲】
【請求項１】
アンテナとこのアンテナを携帯用電子装置に接続するための手段とを有する衣服であり、前記アンテナを介して前記装置のワイヤレス通信を可能にするための衣服において、
当該衣服は、ユーザの上半身の周りに着用されるような形状とされており、前記アンテナは、当該衣服が着用されているときに、前記アンテナが肩胛骨間において背中の近傍に保持されるように当該衣服のアンテナ取り付け部により支持され、前記アンテナ取り付け部は、前記肩胛骨間において前記背中の近傍に前記アンテナを収容するための形状及び大きさで構成されていることを特徴とする衣服。
【請求項２】
前記アンテナ取り付け部が、前記肩胛骨間において着用者の背中の近傍に少なくとも部分的に収容されることができる形状及び大きさで構成された本体部を有する請求項１記載の衣服。
【請求項３】
前記アンテナ取り付け部が、使用中着用者の胴部の前面に向かって着用者の肩部にわたって延在するストラップ部を有する請求項１又は２記載の衣服。
【請求項４】
前記ストラップが、前記アンテナの重さを少なくとも部分的に相殺するように、使用中前記着用者の胴部の前面に延在する請求項３記載の衣服。
【請求項５】
前記アンテナがパッチアンテナ装置である請求項１ないし４のいずれか１項に記載の衣服。
【請求項６】
前記アンテナが、電気伝導性材料の第１及び第２の離間した層と、前記第１および第２の層の間の電気絶縁材料の層と、接続手段とを有し、前記接続手段により前記第１及び第２の層が通信機器に接続可能である請求項５記載の衣服。
【請求項７】
前記アンテナが他の接続手段を有し、前記他の接続手段により前記第１及び第２の層の間に電気的な接触が作られる請求項６記載の衣服。
【請求項８】
当該衣服の着用者の近傍の前記電気伝導材料の層が、前記電気伝導材料の他の層の領域よりも実質的に大きな領域からなると共に、前記アンテナのグランドプレーンとして接続されることを特徴とする請求項６又は７記載の衣服。
【請求項９】
導電材料の前記第１若しくは第２の層又は前記第１の及び第２の層の両方が布地である請求項６ないし８のいずれか１項に記載の衣服。
【請求項１０】
前記布地が化学的にめっきされたリップストップナイロンである請求項９記載の衣服。
【請求項１１】
前記絶縁材料の層がオープンセルの発泡樹脂材料である請求項６ないし１０のいずれか１項に記載の衣服。
【請求項１２】
前記アンテナが、当該衣服の洗濯の前に、該衣服から取り外し可能である請求項１ないし１１のいずれか１項に記載の衣服。
【請求項１３】
前記アンテナ取り付け部が、当該衣服の洗濯の前に、該衣服から取り外し可能である請求項１ないし１２のいずれか１項に記載の衣服。
【請求項１４】
請求項１ないし１３のいずれか１項に記載の衣服に用いるのに適したアンテナ。
【請求項１５】
ユーザにより着用されている間、肩胛骨間において背中の近傍に合うような形状及び大きさの、装着可能な前記背中に装着されるパッチアンテナ。
【請求項１６】
請求項１ないし１３のいずれか１項に記載の衣服のアンテナ取り付け部の技術的な特徴を有するアンテナ取り付け部。
【発明の詳細な説明】
【０００１】
【発明の属する技術分野】
本発明は、携帯用電子装置がワイヤレスデータ転送を行うことを可能にするアンテナに係り、特に、ユーザの上半身の周りに着用されるような形状の衣服に組み込まれるそのようなアンテナに関する。
【０００２】
【従来の技術】
従来より、移動電話機及びラジオ受信機を含む移動体通信機器は、必要なすべての機能を内蔵した（ｓｅｌｆ ｃｏｎｔａｉｎｅｄ）機能的な装置を形成するために、機器自身が所有するアンテナを備えている。最近では、装着可能な電子機器の分野における研究は、通信機器を含む電子機器を衣料品と組み合わせ、一体化する試みを含んでいる。そのような一体化は、電子機器の改善された運び易さ、改善された機能性及び重複する部品の排除を含む幾つかの点で利益的であり得る。後者２つの利益が実現される一例は、自動ルーティング、並びにオーディオ再生装置及び移動電話機からそれらのイヤフォンまでのオーディオのスイッチングである。
【０００３】
幾つかの例では、衣類に機器を配置及び一体化する能力は、改善された性能をもたらし得る新しいタイプの部品が使用されることを可能にする。新しい部品の一例は、コーニンクレッカ・フィリップス・エレクトロニクス・エヌ・ヴィにより１９９９年１１月２６日に出願され、発明の名称が「改善された布地アンテナ」である英国特許出願第９９２７８４２．６号（出願人整理番号ＰＨＢ３４４１７）の優先権主張出願であり、２００１年５月３１日に発行された国際特許出願公開ＷＯＡ−０１／３９３２６に記載されているような層状構造のアンテナである。このアンテナは、主に移動通信のアプリケーションと共に用いるためのものであり、電気伝導性の布地よりなる第１及び第２の離間されている層と、これら第１及び第２の層の間の電気絶縁性の布地よりなる層と、上記第１の層と第２の層とを電気的に接続する第１の接続手段と、上記第１及び第２の層を通信機器に接続可能にする第２の接続手段とを有している。この構成は、所謂「プレーナ逆Ｆ型アンテナ（ＰＩＦＡ）」を構成している。
【０００４】
【発明が解決しようとする課題】
上述したアンテナは、衣服の肩部に肩パッドの形で、又は衣服のラペルに組み込まれるように意図されている。しかしながら、このような仕組み（ａｒｒａｎｇｅｍｅｎｔ）が常にオプションであるとは限らない。これは、美的な理由のためであり、特に、衣服が腕部分を全く有していない場合又はラペルを有していない場合、そのような理由のためであり得る。着脱可能な腕部を備えた衣服の場合には、（ジッパのような）腕部取り付け留め具の存在は、肩パッドアンテナを収容する可能性を除外する。これは、上記アンテナが、容易に上記留め具の邪魔になる、又は上記留め具の正常に作動させなくするからである。人間工学的であり、実際的な形態で、衣服にアンテナを組み込む必要がある。
本発明の目的は、衣服の内部に収容され得るアンテナを提供することにあり、このデバイスは、上述した問題の少なくとも幾つかを克服しようと努めるものである。
【０００５】
【課題を解決するための手段】
本発明の第１の観点によれば、アンテナとこのアンテナを携帯用電子装置に接続するための手段とを有する衣服であり、アンテナを介して装置のワイヤレス通信を可能にするための衣服において、当該衣服が、ユーザの上半身の周りに着用されるような形状とされており、アンテナは、当該衣服が着用されているときに、アンテナが肩胛骨間において背中の近傍に保持されるように当該衣服のアンテナ取り付け部により支持され、アンテナ取り付け部は、肩胛骨間において背中の近傍にアンテナを収容するための形状及び大きさで構成されていることを特徴とする衣服が提供される。
【０００６】
このようなアンテナの位置決めは、衣服が着用されている間、アンテナの厚さの少なくとも幾らかを収容するように、人間の肩胛骨間に自然に生じるくぼみ（ｄｉｐ）を利用している。これは、アンテナの存在により生じる衣服の任意の明らかな膨らみを抑制することを助ける。
【０００７】
前記アンテナ取り付け部は、前記肩胛骨間において着用者の背中の近傍に少なくとも部分的に収容されることができる形状及び大きさで構成された本体部を有していてもよい。
【０００８】
前記アンテナ取り付け部は、使用中着用者の胴部の前面に向かって着用者の肩部にわたって延在するストラップ部を有していてもよい。この場合、上記ストラップは、アンテナの重さを少なくとも部分的に相殺するように、使用中着用者の胴部の前面に延在するように構成されてもよい。衣服のアンテナ取り付け部及びアンテナのこの構成を採用することにより、アンテナの重量が衣服により均一に分配され、従ってこれは、ユーザがアンテナを有する衣服を着用している間、ユーザの快適さに貢献する。
【０００９】
上記アンテナは、当該衣服の洗濯の前に、該衣服から取り外し可能であってもよい。
【００１０】
上記アンテナ取り付け部は、当該衣服の洗濯の前に、該衣服から取り外し可能であってもよい。
【００１１】
本発明の第２の観点によれば、本発明の上記第１の観点による衣服に用いるのに適したアンテナが提供される。
【００１２】
本発明のこれらの観点及び他の観点は、参照することにより組み込まれ、ここで読む人に参照される従属請求項において現れる。
【００１３】
本発明は、添付の図面を参照して説明されるであろう。
【００１４】
図面は模式的であり、正確な縮尺では描かれていないことに注意されたい。図中、各部分の相対的な大きさ及び比率は、明確にするために及び便宜上、誇張されて又は縮小されて示されている。異なる実施態様において対応する又は同様の特徴を指すためには、概して同一の参照符号が用いられている。
【００１５】
【発明の実施の形態】
図１を参照すると、プレーナ逆Ｆ型アンテナ（ＰＩＦＡ）の基本的な部品は、第１の導電グランドプレーン１２、第２の導電プレーン１６、及び第１のプレーン１２と第２のプレーン１６との間に延在するブリッジ部１７とを有している。ブリッジ部１７は、第１の導電グランドプレーン１２と第２のプレーン１６との間に電気的な短絡を与える。図１から分かるように、第２の導電プレーン１６及びブリッジ部１７は、逆「Ｌ」部を形成している。同軸高周波（ＲＦ）給電ケーブル８は、場所１８において第２の導電プレーン１６に接続された内側芯線８ａを有すると共に、第１の（グランド）プレーン１２に接続された外側芯線１８ｂを有している。第１のプレーン１２と第２のプレーン１６とは誘電部１４により分離されており、ここでは上記誘電部は空隙として示されている。本質的に、このＰＩＦＡは、この例では大きさ「ｇ」により示されている波長の約１／４の低プロファイルの共振素子である。動作時に、電流は上記逆Ｌ部において振動する。このアンテナのインピーダンスは、上記給電部が「ｇ」の方向において上記「Ｌ」部に沿って接続されている場所により決定され、上記短絡部のより近く、すなわちブリッジ部１７のより近くに上記給電部を接続することにより小さくされる。
【００１６】
このようなアンテナは、図２に示されているような層状構造体２０として構築され得る。上記アンテナは、グランドプレーンを形成するために導電性の布地２２の下層部を備えており、その上部には、上記アンテナの誘電部としての役割を果たす絶縁材料２４の１つ又はそれ以上の層が設けられ、絶縁材料部２４の上には、ほぼ長方形であると共に、一般に下層部２２よりも小さい領域の導電性の布地の上層部２６が位置している。上記上層部及び下層部は、導電性の布地のネック部２７により接続されている。上層部２６及びネック部２７は、グランドプレーン２２と対向する逆「Ｌ」部を形成している。従って，この構成はプレーナ逆Ｆ型アンテナを形成し、これは１／４波長パッチアンテナとしても知られている。下層部２２と上層部２６とは、ネック部２７において折り返された単一の布地片により形成されている。下層部２２、上層部２６及びネック部２７が必ず同一の布地片により構成されている必要はなく、これらは互いに取り付けられた２つ又はそれ以上の布地片により形成されてもよい。分離した布地片が実際に用いられる場合には、下層部２２及び上層部２６は、別々に形作られてもよく、電気伝導性の糸を用いてこれらを縫い合わせることにより、導電性の接着剤により、又はそれらを圧力のかかった状態で接触させる継ぎ目を用いて上記導電層を縫い合わせることにより電気的に接続され得る。
【００１７】
重要な要件は、上記上層部及び下層部を構成するために幾つの導電性の布地が用いられるかに関わらず、上記グランドプレーン（下層部２２）が第２のプレーン（上層部２６）よりも大きな領域よりなっているべきであることである。
【００１８】
上述したアンテナ装置に用いられる部品は、糸、接着剤又は他の適切な方法によりまとめられてもよい。
【００１９】
導電性の布地の層を設けるために適した材料は、銅、銀又はニッケルの層によりめっきされた、編まれたナイロン（ｗｏｖｅｎ ｎｙｌｏｎ）であり、「Ｓｈｉｅｌｄｅｘ」（登録商標）として知られている材料が適している。この布地は、化学的に（ｅｌｅｃｔｒｏｌｅｓｓｌｙ）めっきされたものである。化学的なめっきは、金属が溶液から直接（化学的に洗浄された）材料の表面に堆積される手法であり、このプロセスは、幾つかの他の既知の電解めっき技術と比較して良好な機械的結合を与える。堆積プロセス中に抵抗性のシード層が伴われないので、改善された高周波連結性も存在する。化学的にめっきされたリップストップナイロンは、優れた導電性を有することが見出されており、通常の使用や洗濯の繰り返しにより生じ得る劣化の始まりに対して非常に耐性があるようである。上記絶縁層に関しては、アクリル製、馬の毛、綿、ポリエステル、ウール及び生地が仕立てられる（ｔａｉｌｏｒ’ｓ）発泡樹脂製品のような衣服の組み立て業界において典型的に用いられる材料が適している。上記アンテナは重要な領域であると共に、衣服に装着されるので、空気を通し、軽量であることが有利である。このような要求は、オープンセルの発泡樹脂製品である１つの有利な絶縁材料につながる。
【００２０】
アンテナ２０は、通常、上記グランドプレーン（下層部２２）が上層部２６よりも着用者の近傍にあるように衣服内に配置される。これは、下層部２２がアンテナ２０のグランドプレーンとして設けられており、アンテナから放射される最も強い電磁界から着用者を分離するように、これらの層の相対的な形状が、上記グランドプレーンが上層部２６の基本的な放射縁部２６ａを超えて十分に延在するようにされているからである。また、着用者により吸収される信号の量が低減されるからである。
【００２１】
アンテナ２０は、衣服が着用されている間、収容されている衣服の形状に合わせて使用中曲げられ得ることが理解されるであろう。この曲がる能力は、着用者の衣服内にアンテナが存在しているという意識をできるだけなくすように努めるものであり、従って、これは不快感を引き起こさない。その結果、上記アンテナは、使用中快適であり、曲げられている場合であっても依然として十分に作用する。
【００２２】
アンテナ２０は、アンテナ取り付け部３０により支持されている。このアンテナ取り付け部３０の前面側の部分は図３ａに示されており、この取り付け部の対応する背面側の部分は図３ｂに示されている。これらの図から分かるように、取り付け部３０は、Ａ１として示されている中心の縦軸についてほぼ対象であるが、下部３２に向かって上部３３よりも狭くなるようなテーパ形状である本体部３１を有している。このようなテーパ形状は、アンテナ取り付け部３０の本体部３１に対して、人間の背中の上部の肩胛骨間に自然に生じるくぼみに少なくとも部分的に収容されることが可能な形状及び大きさを持たせる。成人用ジャケットに組み込まれるのに適した大きさ及び形状の本体部３１は、（上部３３と下部３２とを含む）全体の高さが約２０ｃｍである。（アンテナを組み込む）本体部３１の全体の厚さは１ｃｍ〜１．５ｃｍのオーダーである。
【００２３】
アンテナの誘電部を形成する絶縁材料２４は、図３ａに破線２５により示されているスリットを含むオープンセルの発泡樹脂材料であり、該スリットは分かりやすいように大きさが誇張されている。上部導電層２６及び下部導電層２２はそれぞれ、スリット２５を通るネック部２７と共に化学的にめっきされたリップストップナイロンにより構成されている。上記オープンセルの発泡樹脂材料は、取り付け部３０の外周部３６まで延在しており、糸のような適切な手段により取り付けられている。図３ｂに示されているように、グランドプレーンを形成する下層部２２もまた、取り付け部３０の外周部３６まで延在しており、糸のような適切な手段により取り付けられている。上述したように選択された衣服の構成方法では、下層２２が十分な領域のグランドプレーンを形成するのに小さすぎる場合には、取り付け部３０の外周部３６まで延在する下層２２に隣接し、電気的に接触する追加の導電層が設けられてもよい。
【００２４】
本体部３１の上方の隣接角部３７ａ，３７ｂから延長している部分は、支持ストラップ部３８ａ，３８ｂである。本体部３１と支持ストラップ部３８ａ，３８ｂとは共に、衣服にアンテナを装着する手段を提供するために衣服に取り付けられ得る「ヨーク」装置４０と類似のアンテナ取り付け部を形成している。上記ヨークタイプのアンテナ取り付け部を含む衣服が着用されている場合の上記ヨークタイプのアンテナ取り付け部の装置は、図５ａ及び図５ｂに示されている（理解しやすいように衣服自体は図示されていない。）。図５ａは人を後ろから見た場合を示しており、アンテナ２０及び本体部３１が着用者の背中近傍の肩胛骨間に位置している。図５ｂは人を正面から見た場合を示しており、支持ストラップ部３８ａ，３８ｂが、本体部３１から着用者の肩を越えて着用者の胴部に延在するように示されている。上記支持ストラップ部をこのように延在させることにより、該ストラップ部の重さは、着用者の正面及び背面に組み合わせられ、着用者の肩を中心とするアンテナ２０及びアンテナ取り付け部のより均一な重量分布を与えるように、アンテナ２０及び本体部３１の重さのバランスをとる役割を果たす。このような重量分布は、上記アンテナ及びアンテナを支持する取り付け部を備えた衣服の快適さを改善するように努め、概して衣服自体の正確な「つるし具合（ｈａｎｇ）」に貢献する。ストラップ部３８ａ，３８ｂは、成人用の大きさのジャケットにフィットするように意図されたヨークタイプのアンテナ取り付け部に関して、典型的には８０ｃｍの長さであるが、この長さは、正しい重量分布を得るように、及び衣服に取り込むのに適するように、これらに応じて変更することができる。上記ヨークタイプのアンテナ取り付け部は、任意の適切な可撓性材料により構成されることが可能であり、特に生地、例えばナイロンにより構成され得る。図示した構成では、アンテナ取り付け部はストラップ部３８を有しており、上記外周部がポリエステル充填剤又はポリウレタン発泡樹脂を含んでいる状態で、本体部３１の外周部３６はコーデュラ（登録商標）からなっている。図４は、支持ストラップ部３８ａ，３８ｂの一方に糸のループにより取り付けられた同軸給電ケーブル８を示している。この給電ケーブル８は、上記アンテナを通信機器に接続するコネクタ８ｃで終端している。必要に応じて、上記アンテナ取り付け部は、アンテナだけではなく電子機器も保持可能である。
【００２５】
上記アンテナ取り付け部及びアンテナは、それを裏地に組み込むことにより常に衣服に含まれ得る。代替として、上記アンテナ取り付け部及びアンテナは、着脱可能に衣服に固定されてもよく、これは、衣服を洗濯する前に又は他の衣服に用いるために、上記アンテナ取り付け部及びアンテナが衣服から取り外されることを可能にする。上記アンテナ取り付け部は、ジャケット又はコートなど身体の上半身の周りに着用され得る衣服に含まれ得る。衣服が着用されている間、上記ヨークタイプのアンテナ取り付け部が衣服の背面側から前面側に沿って延在するストラップ部を有していることは、上記アンテナ取り付け部が、オーディオ再生装置、通信機器、マイクロフォン、イヤフォン及びユーザ入力装置を含む、ユーザにより保持される種々の電子機器と装着可能なコンピューティング装置とを接続するコネクタ及び配線を保持するために用いられ得ることを意味する。上記アンテナ及びアンテナ装着ホルダの材料は、ユーザの身体の、使用中当該材料に覆われている部分が「呼吸」することができることを可能にするために、空気透過性であることが好ましい。
【００２６】
給電ケーブルの導体は、上記布地のアンテナの導電層に、はんだ付け（このような手法は理想的ではないが）、又は場合によってはクランプ装置を用いる方法ような既知の方法により取り付けられ得る。ある好ましい接続方法は、図６に示されている、アンテナ２０の下部導電層２２と上部導電層２６との間に挿入される接続装置６０を用いることであり、この装置は、アンテナの上層部２６に接続する導電性のマイクロストリップ６６と、下部アンテナ導電層２２に接続する下部導電面６３とを有している。この装置及び接続技術は、コーニンクレッカ・フィリップス・エレクトロニクス・エヌ・ヴィにより２００１年１月１１日に出願され、発明の名称が「コネクタ装置」である係属中の英国特許出願ＧＢ第０１００７７４．９号（出願人整理番号ＰＨＧＢ０１０００４）の主題であり、この出願に教示されていることは、参照することによって本明細書に組み込まれたものとする。
【００２７】
一般に、アンテナの場所は、着用者の身体の上半身の周りが好ましい。これは、使用中にアンテナが隠れてしまう（ｏｂｓｃｕｒｅ）機会がより少ないからである。
【００２８】
ＧＳＭ９００ＭＨｚのアプリケーションに用いて好適なパッチアンテナの一例は、１／４波長ＰＩＦＡであり、これは、導電損失を低減するためにとりわけ幅広に作製された上部導電層２６を有している。パッチ部は、約７０ｍｍ２である。上記上部アンテナ導電層と下部アンテナ導電層との間隔は約１２．５ｍｍである。上記アンテナの上部導電層の大きな幅及び高さは、著しい誘導性のアンテナをもたらす。これは、上述した２００１年１月１１日に出願され、発明の名称が「コネクタ装置」である係属中の英国特許出願ＧＢ第０１００７７４．９号（出願人整理番号ＰＨＧＢ０１０００４）により詳細に説明されている方法により補償され、該出願に教示されていることは、参照することによって本明細書に組み込まれたものとする。上記ＲＦ給電部を短絡部２７（図２参照）から約２０ｍｍの上記アンテナの脇に配置することは、良好な電気的整合性を与えることが見出された。測定されたアンテナの性能は、８８０〜９６０ＭＨｚの広域のＧＳＭバンドにわたって６ｄＢのリターンロスよりも良好な整合性を示した。アンテナが着用されていないと、効率は７０％〜８０％である。これが、アンテナが着用されていると約５０％に低下し、このことはユーザが誰であるかとは当然無関係のようであり、アンテナが移動電話機に含まれている場合とは異なっている。しかしながら、下層２２により形成される相対的に大きなグランドプレーンは、理想的には１０ｃｍ又はそれ以上の幅であり、ユーザの身体からアンテナの電磁界（ｆｉｅｌｄ）を絶縁し、ユーザにより吸収されるエネルギーを低減することに対して貢献する。内臓電話アンテナは、一般に（ユーザの吸収のために）せいぜいわずか３０％〜５０％の低い効率しか持っておらず、最悪の場合にはわずか３％〜５％に低下するので、上述したようなグランドプレーンは、通常、移動電話機に収容され得ない。
【００２９】
９００ＭＨｚのアンテナの構造が幾らか詳細に説明されたが、当業者であれば、アンテナが他の周波数、例えば約１８００ＭＨｚで用いられるために構成され得ることはよく理解されるであろう。
【００３０】
プレーナ逆Ｆ型アンテナの形態のパッチアンテナにより本発明が説明されたが、１／２波長パッチアンテナのような他のタイプのアンテナを用いることが可能である。このようなアンテナは、機械的な構造において１／４波長プレーナ逆Ｆ型アンテナと同様であるが、パッチアンテナの第１及び第２の導電層の間に短絡部（図１のブリッジ部１７／図２のネック部２７）を有していない。実際に、アンテナが層状構造を有する代替のタイプよりなることが可能であり、又、本発明の範囲内において完全に異なるタイプのアンテナ、例えば誘導コイルよりなることが可能である。
【００３１】
本明細書の開示を読むことから、当業者であれば他の変形が明らかであろう。このような変形は、衣服、（（布地であろうとなかろうと）層状構造体のアンテナを含む）アンテナのデザイン、製造及び使用並びにそのアプリケーションにおいて既に知られている他の特徴や、本明細書において既に述べた特徴に代えて、又はそれに加えて用いられ得る特徴を含み得る。
【図面の簡単な説明】
【図１】プレーナ逆Ｆ型アンテナの基本的な機能部品を表す図である。
【図２】プレーナ逆Ｆ型アンテナとして機能するように構成されたパッチアンテナの斜視図である。
【図３ａ】パッチアンテナとアンテナ取り付け部の一部とを示す正面図である。
【図３ｂ】パッチアンテナとアンテナ取り付け部の一部とを示す背面図である。
【図４】パッチアンテナを保持するアンテナ取り付け部を示す図である。
【図５ａ】着用者に手配されたパッチアンテナ及びアンテナ取り付け部を示す図であり、第１の方向から見た図である。
【図５ｂ】着用者に手配されたパッチアンテナ及びアンテナ取り付け部を示す図であり、第２の方向から見た図である。
【図６】ＲＦ給電ケーブルをパッチアンテナに接続する装置の斜視図である。
【国際公開パンフレット】
2004518322.tif 000003
2004518322.tif 000004
2004518322.tif 000005
2004518322.tif 000006
2004518322.tif 000007
2004518322.tif 000008
2004518322.tif 000009
2004518322.tif 000010
2004518322.tif 000011
2004518322.tif 000012
2004518322.tif 000013
2004518322.tif 000014
2004518322.tif 000015
2004518322.tif 000016
2004518322.tif 000017
2004518322.tif 000018
2004518322.tif 000019
2004518322.tif 000020
【国際調査報告】
2004518322.tif 000021
2004518322.tif 000022
2004518322.tif 000023
2004518322.tif 000024